(57)【特許請求の範囲】
【請求項１】
ホーム基地局であって、
公衆ネットワークを介してオペレータネットワークとインターフェースするためのインターフェースと、
現在のオペレーティング無線パラメータに従ってユーザデバイスに対し無線信号を送受信するように動作可能な送受信回路と、
前記送受信回路を用いて該ホーム基地局と前記ユーザデバイスとの間の通信を制御するように動作可能な通信制御モジュールと、
トリガに応答して、新たなオペレーティング無線パラメータを取得すると共に、該新たなオペレーティング無線パラメータを用いて前記送受信回路を再構成するように動作可能なパラメータ制御モジュールと、
を備え、
前記通信制御モジュールは、前記ユーザデバイスと通信して、該ユーザデバイスに前記新たなオペレーティング無線パラメータを通知するように動作可能であり、
前記通信制御モジュールは、変更を接続モードで動作しているユーザデバイス又はアイドルモードで動作しているユーザデバイスに通知するように動作可能であり、
前記通信制御モジュールは、前記変更に関するデータをブロードキャストチャネルを介してブロードキャストすることによって前記ユーザデバイスに通知するように動作可能であり、
前記通信制御モジュールは、前記ホーム基地局を新たな構成での近傍であると特定する近傍セルリストの更新をブロードキャストするように動作可能である、ホーム基地局。
【請求項２】
前記通信制御モジュールは、前記ユーザデバイスと通信して、前記パラメータ制御モジュールが前記送受信回路を再構成する前に前記ユーザデバイスに前記新たなオペレーティング無線パラメータを通知するように動作可能である、請求項１に記載のホーム基地局。
【請求項３】
前記通信制御モジュールは、変更を接続モードで動作しているユーザデバイスに通知するが、アイドルモードで動作しているユーザデバイスには通知しないように動作可能である、請求項１又は２に記載のホーム基地局。
【請求項４】
前記通信制御モジュールは、前記変更を特定する情報要素を持つシステム情報ブロックをブロードキャストするように動作可能である、請求項１に記載のホーム基地局。
【請求項５】
前記通信制御モジュールは、ｃｅｌｌ−ＤＣＨモード又はＣｅＩｌ−ＦＡＣＨモードで動作しているユーザデバイスに、該ユーザデバイスに専用の制御チャネルを介して通知するように動作可能である、請求項３又は４に記載のホーム基地局。
【請求項６】
前記通信制御モジュールは、ｃｅｌｌ−ＤＣＨモード及びＣｅＩｌ−ＦＡＣＨモードで動作しているユーザデバイスに、周波数間無線リソース制御（ＲＲＣ）ハンドオーバ手順を用いて通知するように動作可能である、請求項５に記載のホーム基地局。
【請求項７】
前記通信制御モジュールは、前記接続モードのユーザデバイス及び前記アイドルモードのユーザデバイスに、異なる制御チャネルを用いて通知するように動作可能である、請求項３又は４に記載のホーム基地局。
【請求項８】
前記通信制御モジュールは、前記変更が行われるときに、前記接続モードのユーザデバイス及び前記アイドルモードのユーザデバイスに通知するように動作可能である、請求項７に記載のホーム基地局。
【請求項９】
前記新たなオペレーティング無線パラメータは、新たな周波数及び新たなプライマリスクランブリングコード（ＰＳＣ）のうちの１つ又は複数を含むことができる、請求項１〜８のいずれか１項に記載のホーム基地局。
【請求項１０】
ホーム基地局を動作させる方法であって、
送受信回路を用いて、現在のオペレーティングパラメータに従ってユーザデバイスに対し無線信号を送受信し、
前記現在のオペレーティングパラメータを変更するトリガを受信し、
前記トリガに応答して、新たなオペレーティングパラメータを取得し、
前記ユーザデバイスに前記新たなオペレーティング無線パラメータを通知し、
前記新たなオペレーティング無線パラメータを用いて前記送受信回路を再構成し、
前記通知は、変更を、接続モードで動作しているユーザデバイス又はアイドルモードで動作しているユーザデバイスに通知し、
前記通知は、前記変更に関するデータをブロードキャストチャネルを介してブロードキャストすることによって前記ユーザデバイスに通知し、
前記ブロードキャストは、前記ホーム基地局を新たな構成での近傍であると特定する近傍セルリストの更新をブロードキャストする、
方法。
【請求項１１】
前記ユーザデバイスへの前記新たなオペレーティング無線パラメータの通知は、前記送受信回路を再構成する前に実行される、請求項１０に記載の方法。
【請求項１２】
前記通知は、変更を、接続モードで動作しているユーザデバイスに通知するが、アイドルモードで動作しているユーザデバイスには通知しない、請求項１０又は１１に記載の方法。
【請求項１３】
前記ブロードキャストは、変更を特定する情報要素を持つシステム情報ブロックをブロードキャストする、請求項１０に記載の方法。
【請求項１４】
前記通知は、ｃｅｌｌ−ＤＣＨモード又はＣｅＩｌ−ＦＡＣＨモードで動作しているユーザデバイスに、該ユーザデバイスに専用の制御チャネルを介して通知する、請求項１２又は１３に記載の方法。
【請求項１５】
前記通知は、ｃｅｌｌ−ＤＣＨモード又はＣｅＩｌ−ＦＡＣＨモードで動作しているユーザデバイスに、周波数間無線リソース制御（ＲＲＣ）ハンドオーバ手順を用いて通知する、請求項１４に記載の方法。
【請求項１６】
前記通知は、前記接続モードのユーザデバイス及び前記アイドルモードのユーザデバイスに、異なる制御チャネルを用いて通知する、請求項１２又は１３に記載の方法。
【請求項１７】
前記通知は、前記変更が行われるときに前記接続モードのユーザデバイス及び前記アイドルモードのユーザデバイスに通知する、請求項１６に記載の方法。
【請求項１８】
前記新たなオペレーティング無線パラメータは、新たな周波数及び新たなＰＳＣのうちの１つ又は複数を含むことができる、請求項１０〜１７のいずれか１項に記載の方法。
【請求項１９】
プログラム可能な通信デバイスが、請求項１〜９のいずれか１項に記載のホーム基地局として構成されるようにするコンピューター実施可能命令を含む、プログラム。
【発明の詳細な説明】
【技術分野】
【０００１】
本発明は移動通信ネットワークに関し、排他的ではないが特に、３ＧＰＰ標準規格又はその等価物若しくは派生物に従って動作するネットワークに関する。本発明は、排他的ではないが特に、ホーム基地局及び該ホーム基地局に関連付けられたユーザ機器（ＵＥ）の動作に関する。
【０００２】
本出願は、２００９年２月１７日に出願された英国特許出願第０９０２６２８．７号に基づくと共に該特許出願からの利益又は優先権を主張する。該特許出願の開示は参照によりその全体が本明細書に援用される。
【背景技術】
【０００３】
３ＧＰＰ標準規格の下で、ＮｏｄｅＢ（又はＬＴＥにおいてはｅＮＢ）は、移動デバイスが基地局を介してコアネットワークに接続する、基地局である。最近では、３ＧＰＰ標準化団体は、公式のアーキテクチャを採用し、ホーム基地局（ＨＮＢ）のための新たな標準規格に対する取り組みを始めた。ホーム基地局がＬＴＥ標準規格に従って動作している場合、ＨＮＢはＨｅＮＢと呼ばれることがある。同様のアーキテクチャがＷｉＭＡＸネットワークにも適用される。この場合、ホーム基地局は一般にフェムトセルと呼ばれる。単純にするために、本出願ではＨＮＢという用語を用いて任意のそのようなホーム基地局を指す。ＨＮＢは自宅内の無線カバレッジ（３Ｇ／４Ｇ／ＷｉＭＡＸ）を提供し、適切な公衆ネットワークを介して（たとえばインターネットへのＡＤＳＬリンクを介して）コアネットワークへ接続し、３ＧＰＰ標準規格の場合はオプションのＨＮＢゲートウェイ（ＨＮＢ−ＧＷ）を介してコアネットワークへ接続する。
【０００４】
ＨＮＢは、該ＨＮＢが位置するマクロセル（複数可）と同じ周波数又は異なる周波数で、かつ該ＨＮＢの付近で動作する他のＨＮＢと同じ周波数又は異なる周波数で動作する。現行の提案の下では、ＨＮＢのオペレーティング無線パラメータ（ＨＮＢの周波数及び／又はプライマリスクランブリングコード（ＰＳＣ）等）は、ＨＮＢが起動されときにコアネットワークオペレータから取得されるか、又は周囲環境を習得することを伴う自己構成ルーチンを通じて取得され、これらのパラメータを変更することができる唯一の方法は、ＨＮＢをリセット又はリブートすることによる。ＨＮＢが広範に展開されることが予期される。たとえば、３ＧＰＰ  ＴＳ２２．０１１においてＰＬＭＮ（公衆陸上移動ネットワーク）内の１億２５００万個のＨＮＢに対処するための準備が与えられている。本発明者らは、展開がそのように広範に広がることによって、ＨＮＢを取り巻く無線条件が定期的に変化し、その結果干渉のレベルが変動する場合があることに気が付いた。
【発明の概要】
【発明が解決しようとする課題】
【０００５】
したがって、本発明者らは、ＨＮＢが起動後に、その通常動作状態の期間中に、新たな無線条件に基づいて該ＨＮＢのオペレーティング無線パラメータを変更し、その新たなパラメータを該ＨＮＢによってサービス提供されているＵＥに通信することができれば好都合であろうと結論付けた。
【０００６】
当業者の理解の効率のために、本発明を３Ｇシステムの文脈で詳細に説明するが、本発明の原理は、移動デバイス又はユーザ機器（ＵＥ）がいくつかの基地局のうちの１つと通信する他のシステム（ＷｉＭＡＸ等）にも適用することができる。該システムの対応する要素は所望に応じて変更されている。
【課題を解決するための手段】
【０００７】
１つの態様によれば、本発明は、現在のオペレーティング無線パラメータに従ってユーザデバイスに対し無線信号を送受信するように動作可能な送受信回路と、トリガに応じて、新たなオペレーティング無線パラメータ（新たな送信周波数若しくは新たなプライマリスクランブリングコード（ＰＳＣ）又は同等のもの）を取得すると共に、該新たなオペレーティング無線パラメータを用いて送受信回路を再構成するように動作可能なパラメータ制御モジュールとを備える、ホーム基地局を提供する。再構成は、ホーム基地局が１つ又は複数の移動電話にサービス提供している間に、該ホーム基地局の電源を切る必要も該ホーム基地局をリセットする必要もなく、動的に実行され得る。新たなオペレーティングパラメータは、それらをオペレーターネットワーク内の階層においてより高次にあるか又は同じレベルにある任意のノードを介して移動ネットワークオペレータから受信することによって、又は周囲環境の検討事項に従って求めることによって、取得され得る。ユーザデバイスと通信して該ユーザデバイスに新たなオペレーティング無線パラメータを通知する通信制御モジュールが提供される。
【０００８】
好ましい実施の形態では、通信制御モジュールは、ユーザデバイスと通信して、パラメータ制御モジュールが送受信回路を再構成する前にユーザデバイスに新たなオペレーティング無線パラメータを通知する。通信制御モジュールは、変更を接続モードで動作しているユーザデバイスに通知するが、アイドルモードで動作しているユーザデバイスには通知しないこともできるし、ユーザデバイスの動作モードに関係なくすべてのユーザデバイスに通知するように試みることもできる。通信制御モジュールは、専用制御チャネル、ブロードキャスト制御チャネル、又はＭＢＭＳサービス等の何らかの他のチャネルを用いてユーザデバイスに通知することができる。ユーザデバイスは、近傍セルリストを更新することによって、新たな構成でホーム基地局を近傍として含めることを通知され得る。通信制御モジュールは、異なるモードで動作しているユーザデバイスに異なる制御チャネルを用いて通知することができる。異なるユーザデバイスが変更を通知される方法に関係なく、それらのユーザデバイスは、好ましくは再構成が行われるときを規定するタイミング情報を与えられる。
【０００９】
別の態様によれば、本発明は、ホーム基地局の現在のオペレーティング無線パラメータに従って、ホーム基地局に対し無線信号を送受信するための送受信回路と、ホーム基地局の新たなオペレーティング無線パラメータを特定するデータを取得すると共に、該新たなオペレーティング無線パラメーターを用いて送受信回路を再構成するように動作可能なパラメーター制御モジュールと、を備える、移動ユーザデバイスを提供する。通常、移動ユーザデバイスは、ホーム基地局から新たなオペレーティング無線パラメータを受信する。
【００１０】
移動ユーザデバイスは、第１の動作モード及び第２の動作モードを有することができ、通信制御モジュールは、ユーザデバイスが第１の動作モードで動作しているとき、専用制御チャネルを介して新たなオペレーティング無線パラメーターを受信すると共に、ユーザデバイスが第２の動作モードで動作しているとき、ブロードキャストチャネルを介して新たなオペレーティング無線パラメータを受信するように構成することができる。第１の動作モードは接続動作モードとすることができ、第２の動作モードはアイドル動作モードとすることができる。
【００１１】
移動ユーザデバイスは、ブロードキャスト制御チャネル又は専用制御チャネルを介して変更を通知され得る。移動ユーザデバイスによって受信される情報は、好ましくは切り換えが行われるときを特定するタイミング情報を含む。移動デバイスが変更を通知される時点と切り換え時点との間に、移動ユーザデバイスは好ましくは現在のオペレーティングパラメータを用いてホーム基地局との通信を継続する。
【００１２】
本発明は、送受信回路のオペレーティングパラメータの再構成において使用するための通信制御信号であって、該信号は、周波数の変更又はプライマリスクランブリングコードにおける変更をシグナリングするための第１の部分と、送受信回路がいつ再構成されるべきかを示すタイミング情報をシグナリングするための第２の部分とを含む、通信制御信号も提供する。
【００１３】
本発明は、全ての開示される方法について、対応する機器上で実行するための対応するコンピュータプログラム又はコンピュータプログラム製品、前記機器そのもの（ユーザ機器、ノード、又はそれらの構成要素）、及び該機器を更新する方法を提供する。コンピュータプログラムは、ＣＤ−ＲＯＭ等の記録媒体上に設けることができる。
【図面の簡単な説明】
【００１４】
【図１】実施形態が適用可能なタイプの移動通信システムを概略的に示す図である。
【図２】図１に示すシステムの一部分を形成する移動電話のブロック図である。
【図３】図１に示すシステムの一部分を形成するホーム基地局のブロック図である。
【図４】ＨＮＢのセル内の移動電話に、ＨＮＢのオペレーティング無線パラメータの変更を通知する手順を示すタイミング図である。
【図５】ＨＮＢのセル内の移動電話に、ＨＮＢのオペレーティング無線パラメータに対する変更を通知する別の手順を示すタイミング図である。
【発明を実施するための形態】
【００１５】
これより本発明の一実施形態を、添付の図面を参照して例として説明する。
【００１６】
概説
図１は、ユーザが自宅９から離れているときに、移動電話（ＭＴ）３のユーザが、３Ｇ無線アクセスネットワーク（ＲＡＮ）基地局５のマクロセル、無線ネットワークコントローラ７、及びコアネットワーク８を介して他のユーザ（図示せず）と通信することができると共に、ユーザが自宅９にいるときに、ホーム基地局（ＨＮＢ）１１のセル、公衆データ網（この場合、インターネット１３）、ホーム基地局ゲートウェイ（ＨＮＢ−ＧＷ）１５、及びコアネットワーク８を介して他のユーザ（図示せず）と通信することができる、移動（セルラー）通信システム１を概略的に示している。ＨＮＢ１１は通常、ＡＤＳＬ又はケーブル接続１６等の適切な住宅インターネット接続を介してＨＮＢ−ＧＷ１５に接続し、全てのアップリンク通信がＨＮＢ−ＧＷ１５に送信されるようにＨＮＢ−ＧＷ１５のＩＰアドレスを用いてプログラミングされる。ＨＮＢ１１は、移動電話ネットワークオペレータ（コアネットワーク８の一部を形成する）が適切な制御信号をインターネット１３を介してＨＮＢ１１に送信することによって構成される。当業者が理解するように、ＨＮＢ１１は多数の異なる移動電話３と通信することができる。
【００１７】
移動電話
図２は、図１に示された移動電話３の主要構成要素を概略的に示している。図示されるように、移動電話３は、１つ又は複数のアンテナ２５を介してＲＡＮ基地局５又はＨＮＢ１１に対し信号を送受信するように動作可能な送受信回路２３を備える。図示されるように、移動電話３は、該移動電話３の動作を制御するコントローラ２７も備え、該コントローラは、送受信回路２３、並びにラウドスピーカ２９、マイクロフォン３１、ディスプレイ３３、及びキーパッド３５に接続される。コントローラ２７はメモリ３７内に記憶されるソフトウェア命令に従って動作する。図示されるように、これらのソフトウェア命令は、中でも、オペレーティングシステム３９、パラメータ制御モジュール４０、及び通信制御モジュール４１を含む。この実施形態において、パラメータ制御モジュール４０はＨＮＢ１１との通信において送受信回路２３によって用いられるパラメータ値を制御し、通信制御モジュール４１はＨＮＢ１１との通信を制御し、移動電話３が該通信のＨＮＢ１１の範囲内にあるとき、そのホーム基地局１１を選択する。選択は自動とすることもできるし、ユーザが手動で制御することもできる。パラメータ制御モジュール４０は、ＨＮＢ１１への初期登録中、ＨＮＢ１１のためのオペレーティング無線パラメータを取得し、それらを用いてＨＮＢ１１との後続の通信のための送受信回路２３を構成する。
【００１８】
ホーム基地局
図３は、図１に示されたホーム基地局（ＨＮＢ）１１の主要構成要素を示すブロック図である。図示されるように、ＨＮＢ１１は、１つ又は複数のアンテナ５３を介して移動電話３に対し信号を送受信するように動作可能であると共に、ＨＮＢ−ＧＷインターフェース５５を介してＨＮＢ−ＧＷ１５に対し信号を送受信するように動作可能な送受信回路５１を備える。送受信回路５１の動作は、メモリ５９内に記憶されているソフトウェアに従ってコントローラ５７によって制御される。このソフトウェアは、中でも、オペレーティングシステム６１、通信制御モジュール６３、及びパラメータ制御モジュール６５を含む。通信制御モジュール６３は、ＨＮＢ１１と移動電話３とＨＮＢ−ＧＷ１５との間の通信を制御するように動作可能である。パラメータ制御モジュール６５は、インターネット１３を介して移動オペレータからオペレーティングパラメータを受信すると共に、それらのパラメータに従って送受信回路５１を構成するように動作可能である。以下でより詳細に説明されるように、パラメータ制御モジュール６５は、送受信回路５１のオペレーティングパラメータを変更するように動作可能である。パラメータ制御モジュールは、移動オペレータネットワーク内の無線リソース管理（ＲＲＭ）エンティティによってトリガされたとき、又はたとえば移動ネットワークオペレータポリシー機能によって生成された或る内部生成トリガによってトリガされたときに、この変更を行う。この実施形態において、通信制御モジュール６３は、再構成の前に、変更されたオペレーティング無線パラメータを登録された移動電話３に通知する。
【００１９】
上記の説明において、移動電話３及びホーム基地局１１は、理解を容易にするために、多数の別個のモジュール（通信制御モジュール及びパラメータ制御モジュール等）を持つものとして説明されている。これらのモジュールは、たとえば既存のシステムが本発明を実施するように変更された特定の用途の場合、このように提供することができるが、他の用途、たとえば最初から本発明の特徴を念頭において設計されたシステムでは、これらのモジュールをオペレーティングシステム又はコード全体に組み込むことができるため、これらのモジュールは別個のエンティティとして識別可能でない場合がある。
【００２０】
動作
動作時に、パラメータ制御モジュール６５は、トリガされたときに、ＨＮＢ１１のオペレーティング無線パラメータを変更するように動作可能である。このトリガは、ＰＬＭＮの無線リソース管理（ＲＲＭ）エンティティ又は何らかの内部トリガ生成メカニズムによって供給され得る。トリガは移動オペレータの管理ポリシーに基づいて、又は検知された干渉状態に基づいて生成され得る。たとえば、移動オペレータは、一日の或る特定の時刻に、ＨＮＢ１１の１つのグループが、これらのＨＮＢによって通常用いられるものとは異なるオペレーティングパラメータを用いて動作するように構成されるというポリシーを実施することができる。これは、たとえばＨＮＢの別のグループに対し生じる干渉を低減するように行うことができる。代替的に、ＨＮＢ１１は、或る特定の閾値を超える干渉を検出した場合に、該ＨＮＢのオペレーティングパラメータを変更するようにプログラミングすることができる。
【００２１】
ＨＮＢ１１が自身のオペレーティングパラメータを変更するようにトリガされる場合、パラメータ制御モジュール６５は新たなオペレーティングパラメータを取得し、通信制御モジュール６３は古いオペレーティングパラメータと新たなオペレーティングパラメータとの間の組織化された移行を提供する手順を開始する。シームレスな切り換えを提供するために、接続モードＣｅＩｌ−ＤＣＨ及びＣｅＩｌ−ＦＡＣＨにある登録された移動電話３（すなわちＨＮＢ１１に対しアクティブにデータを送受信している移動電話３）は、切り換えの前に新たなオペレーティングパラメータを通知されなくてはならず、かつ切り換えがいつ発生するのかを通知されなくてはならない。アイドルモードにあるか又はＣＥＬＬ−ＰＣＨ若しくはＵＲＡ−ＰＣＨ接続モードにある移動電話３は、現時点でデータを送受信しておらず、それらの移動電話に新たな無線パラメータを通知することは、ユーザにシームレスな移行を提供するのにあまり重要ではない（実際に省くことができる）。
【００２２】
次に、登録された移動電話３に変更を通知する多数の異なるオプションを説明する。
【００２３】
オプション１−ＣｅＩｌ−ＤＣＨ及びＣｅＩｌ−ＦＡＣＨ
移動電話３がＣｅＩｌ−ＤＣＨモード又はＣｅＩｌ−ＦＡＣＨモードにある場合、様々な技法を用いて移動電話３に新たな無線パラメータを通知することができる。しかしながら、最も単純な技法のうちの１つは、図４に示された既存の周波数間ハンドオーバＲＲＣ手順（それは、移動電話３がセル間又はＲＡＮ基地局５間で移動するときに用いられる）を再利用することである。図示されるように、ステップｓ１において、ＨＮＢ１１はＣｅｌｌ−ＤＣＨモードの移動電話３にサービス提供している。ステップｓ３において、ＨＮＢ１１は自身のオペレーティング無線パラメータを変更することを決定し、ステップｓ５において、ＨＮＢ１１は、移動電話３に対する専用の制御チャネルを介して、起動時刻と共にＲＲＣ再構成メッセージを移動電話３に送信する。周波数における変更は、既存の「周波数情報」情報要素（ＩＥ）を用いて指示され得、ＰＳＣにおける変更は、既存の「プライマリＣＰＩＣＨ情報」情報要素を用いて指示され得る。起動時刻は、切り換えが行われる前の遅延を効果的に規定し、接続フレーム番号（ＣＦＮ）によって規定され得る。ＣＦＮは、ＨＮＢ１１及び移動電話３の双方によって維持されるカウンタであり、０から２５５をカウントし、１０ｍｓおきにインクリメントされる。したがって、ＣＦＮ値を指定することによって、移動電話３に対し、切り替えが行われる時点が特定される。ステップｓ７において、ＨＮＢ１１及び移動電話３は、起動時刻において無線パラメータを変更する（この場合、周波数をｆ１からｆ２に変更する）。移動電話３は、再構成を完了させると、ステップｓ９において、変更が完了したことを確認するＲＲＣ再構成メッセージを送信する。
【００２４】
オプション２−ＣｅＩｌ−ＤＣＨを除く全てのモード
別のオプションは、３つの新たな情報要素（ＩＥ）を用いて、システム情報ブロック（ＳＩＢ）タイプ３内に新たなオペレーティング無線パラメータを含めることであり、これはブロードキャスト制御チャネル（ＢＣＣＨ）を介してブロードキャストされる。３つの新たなＩＥによって、新たな周波数情報、プライマリＣＰＩＣＨ情報、及びマージン時間がもたらされる。この場合の切り換えを同期する手順が図５に示されている。ステップｓ１１において、ＨＮＢ１１がトリガに基づいてセルのオペレーティング無線パラメータを変更することを決定する。ステップｓ１３において、ＨＮＢ１１は移動電話３にシステム情報変更インジケーション（ＢＣＣＨ変更情報）及び新たなパラメータを含むＳＩＢ３を、ブロードキャスト制御チャネル（ＢＣＣＨ）を介して送信する。ＢＣＣＨ変更情報によって、移動電話３がＳＩＢ３内のどの情報を見るべきかがわかる。通常、ＨＮＢ１１はＢＣＣＨ変更情報及びＳＩＢ３の送信を多数回繰り返し、移動電話３が切り換え前に変更情報を受信することができることを確実にする。ステップｓ１５において、移動電話３は、ＳＩＢを受信したとき、又は該ＳＩＢによって規定されたオプションの変更時間後に、該ＳＩＢから新たなオペレーティングパラメータを読み取る。ステップｓ１７において、移動電話３及びＨＮＢ１１は、ＳＩＢにおいて規定されたマージン時間にオペレーティング無線パラメータを変更する。規定のマージン時間は、送受信回路２３の一部を成すシンセサイザが動作周波数を変更し、マージン時間の満了後にその新たな周波数で動作を開始するのに十分な時間を与えるように選択される。次に、ステップｓ１９において、ＨＮＢ１１は、マージン時間の満了後に新たなパラメータのブロードキャストを停止する。
【００２５】
したがって、マージン時間は、同期された形でのオペレーティングパラメータの変更を提供する。マージン時間はシステムフレーム番号（ＳＦＮ）を用いて指定され得る。ＳＦＮは、ＨＮＢ１１及び移動電話３の双方によって維持されるカウンタであり、これも１０ｍｓおきにインクリメントされる。しかしながら、ＳＦＮカウンタは０と４０９５との間をカウントする。図５に示される手順を実行するのにより長い時間が必要とされることから、ＳＦＮを用いてマージン時刻を規定する。ＨＮＢ１１がオプション１及びオプション２の双方を用いて移動電話に変更を通知する場合、ＨＮＢは、異なるモードで動作している移動電話３が同時に切り換えを実行することを確実にするために、起動時刻及びマージン時間をセットする。
【００２６】
オプション３−ＣｅＩｌ−ＤＣＨ以外の全てのモード
ＨＮＢ１１が移動電話３に新たなオペレーティングパラメータを通知することができる別の方法は、近傍セルリスト（ＮＣＬ）を変更することである。より詳細には、ＨＮＢ１１によって実行されるルーチンタスクのうちの１つは、該ＨＮＢがサービス提供している移動電話３に近傍セルを通知することである。ＨＮＢは、たとえば移動電話３がＨＮＢ１１の範囲外に移動するときに、移動電話３がこれらの近傍セルのうちの１つにハンドオーバすることができるように、この通知を行う。この情報は、ブロードキャスト制御チャネル（ＢＣＣＨ）を介してＳＩＢ１１又はＳＩＢ１２において送信される。このため、ＰＳＣ及び／又は周波数変更がトリガされると、ＨＮＢ１１は自身を新たな構成での近傍としてブロードキャスト近傍セルリスト（ＳＩＢ１１／１２）内に含める（ＨＮＢは、移動電話３によって実行されることになるＮＣＬ内のセルのランク付けが、他の近傍セルよりも新たなセルを優先するように、セル個別オフセット（ＣＩＯ）パラメータを構成することもできる）。オペレーティング無線パラメータへの変更に依拠して、これはＳＩＢタイプ１１又は１２の測定制御システム情報における周波数内測定システム情報ＩＥ及び／又は周波数間測定システム情報ＩＥの変更を伴う場合がある。たとえば、ＨＮＢ１１が周波数を変更している場合、ＨＮＢは周波数間測定システム情報ＩＥを変更するが、ＨＮＢが同じ周波数を保ち、自身のプライマリスクランブリングコード（ＰＳＣ）のみを変更する場合、ＨＮＢ１１は周波数内測定システム情報ＩＥを変更する。
【００２７】
移動電話３は、近傍セルのリストを維持し、新たなセルに関する情報を受信すると、該情報を格納されているリストに追加する。ＨＮＢ１１の再構成が実行されると、移動電話３はＨＮＢ１１とのコンタクトを失い、新たなセルを見つけるために再選択手順を開始する。この再選択手順は、近傍セルリスト及び該ＮＣＬ内のセルに関するＣＩＯパラメータを用いて、登録先の新たなセルを特定する。ＨＮＢの再構成の直前にＨＮＢ１１によってＮＣＬに対して行われた変更の結果として、移動電話３はＨＮＢの新たな構成時にＨＮＢ１１を迅速に再選択するべきである。
【００２８】
利点
上記で説明した実施形態は、起動時にのみ再構成することができ、したがって変更が所望される場合にリブートを必要とした既存のＨＮＢに勝る多数の重要な利点を提供する。利点には以下が含まれる。
・エンドユーザはＨＮＢのオペレーティングパラメータの変更に一切気付かず、正常サービスの進行中であっても信頼性のあるシームレスなサービスを予期することができる。これは、ユーザがＨＮＢに接続されたままであり、より好ましくないレートが適用される場合がある別のセルにセルを切り換えないことも意味する。
・従来技術において、ＨＮＢは自身のオペレーティングパラメータを変更するために常にリセット又はリブートされていた。これは、接続モードで進行中のサービスを阻害し、さらには不良なユーザ経験をもたらすものである。
・マクロセルにおいて現在行われているように、夜間の変更を実行するのにサービスエンジニアを派遣する必要がない。
【００２９】
変更形態及び代替形態
上記で詳細な実施形態が説明された。当業者であれば理解するように、上記の実施形態に対し、該実施形態において具現化される本発明から依然として利益を受けながら、多数の変更及び代替を行うことができる。
【００３０】
上記の実施形態では、移動電話ベースの通信システムが説明された。当業者であれば理解するように、本出願において記載されるシグナリング技法を他の通信システムに用いることができる。他の通信ノード又は通信デバイスは、たとえば、個人用携帯情報端末、ラップトップコンピュータ、ウェブブラウザ等のようなユーザデバイスを含むことができる。
【００３１】
上述した実施形態において、移動電話及びＨＮＢはそれぞれ送受信回路を含む。通常、この回路は、専用ハードウェア回路によって形成される。しかしながら、いくつかの実施形態では、送受信回路の一部を対応するコントローラによって実行されるソフトウェアとして実装することができる。
【００３２】
上記の実施形態では、多数のソフトウェアモジュールが説明された。当業者であれば理解するように、それらのソフトウェアモジュールは、コンパイルされた形式でもコンパイルされていない形式でも提供され得、コンピュータネットワークを介した信号として又は記録媒体上で、ＨＮＢ又は移動電話に供給され得る。さらに、このソフトウェアの一部又は全てによって実行される機能は、１つ又は複数の専用ハードウェア回路を使用して実行され得る。しかしながら、機能を更新するために基地局５及び移動電話３を更新するのが容易になるため、ソフトウェアモジュールの使用が好ましい。
【００３３】
当業者には様々な他の変更形態が明らかであり、ここではこれ以上詳細には説明しない。
【図１】
0005187541.tif 000002
【図２】
0005187541.tif 000003
【図３】
0005187541.tif 000004
【図４】
0005187541.tif 000005
【図５】
0005187541.tif 000006